(57)【要約】【課題】光学的性能を犠牲にすることなく、低背化するとともに、撮像画像中に不要光による余計な像の発生を抑制する撮像装置を提供する。【解決手段】平板状のベース５１０と、ベースの中央部分に形成された矩形状の開口５１１と、ベース５１０のフロントフレーム５２側に突設された円筒形状であり、レンズ４１を保持するレンズ保持部５１２を備えており、レンズ保持部５１２の開口５１１の角部近傍には、切り欠き５１８が備えられている。【選択図】図７
2011209493.tif 000002
【特許請求の範囲】
【請求項１】
複数枚のレンズを有する撮像装置であって、前記複数枚のレンズのうち撮像センサに最も近いレンズを保持するフレームを有し、
前記フレームは、
平板状のベースと、
前記ベースの中央部分に形成された矩形状の開口と、
前記ベースの被写体側に突出するレンズ保持部を備えており、
前記レンズ保持部は前記レンズの外周が嵌合される略円筒形状のレンズ嵌合部と、前記レンズ嵌合部の内周に一体成形されており、前記レンズの前記撮像センサ側の面の外周を保持する胴付け部とを有し、
前記レンズ保持部は前記開口を囲むように配置されているとともに、前記胴付け部の前記開口の角部近傍には、前記胴付け部の内寸を広げるように４個の切り欠きを備えていることを特徴とする撮像装置。
【請求項２】
前記ベースの前記レンズ保持部と反対側は赤外カットフィルタが前記開口を覆うように取り付けられている請求項１に記載の撮像装置。
【請求項３】
前記４個の切り欠きのうち少なくとも１つは、前記胴付け部及び前記レンズ嵌合部に形成されている請求項１又は請求項２に記載の撮像装置。
【請求項４】
前記切り欠きは、前記切り欠きの光軸方向の高さをＬ、前記切り欠きの内面から前記開口までの距離のうち最も短いものをＭとしたとき、０．１＜Ｌ／Ｍ＜２を満たす形状を有している請求項１から請求項３のいずれかに記載の撮像装置。
【発明の詳細な説明】
【技術分野】
【０００１】
本発明は、携帯電話、携帯情報端末等の小型携帯端末に用いられる撮像装置に関するものである。
【背景技術】
【０００２】
携帯電話や携帯情報端末（ＰＤＡ）等の小型携帯端末の多くには、画像を撮影するため撮像装置（デジタルカメラ）が搭載されている。前記撮像装置は配線基板に実装され、被写体像を撮像する撮像センサと、前記撮像センサの正面側に配置されたレンズユニットとを備えている。
【０００３】
前記撮像装置において、撮像光は筐体の前側（被写体側）に形成されている開口より入射し、内部に配置された複数枚のレンズを透過した後、前記筐体の後側（撮像センサ側）に形成されている開口（アパーチャー）を通過する。そして、赤外カットフィルタを通過した後、前記撮像センサに入射する。複数枚のレンズはレンズホルダに保持され光軸方向に移動されることで、前記撮像光を正確に前記撮像センサに導く。
【０００４】
近年、小型携帯端末は、従来のものよりもさらに小型化、薄型化されている。前記小型携帯端末の小型化、薄型化に伴い、前記撮像装置に対しても光学性能を低下させることなく、光軸方向の高さを抑えること（低背化）が要求されている。
【０００５】
そこで、特開２０１０−１４８１８号公報では、光学性能を保って、低背化することができる撮像装置が提案されている。すなわち、特開２０１０−１４８１８号公報に記載の撮像装置は、従来、赤外カットフィルタを保持するために用いられていた保持部材を省略し、矩形の赤外カットフィルタを前記筐体の後側開口を後側から覆うように貼り付けている。この撮像装置では、前記赤外カットフィルタと前記撮像センサとの距離が短くなり、低背化されている。また、光学性能の低下を抑制するため、レンズホルダ（レンズ鏡枠）を光軸方向に移動可能とした構造となっている。
【０００６】
特開２０１０−１４８１８号公報に記載の撮像装置は全てのレンズを保持したレンズホルダが移動するため、前記レンズホルダと前記筐体との間に隙間があり、その隙間から塵、埃等の異物が侵入しやすい。また、特開２０１０−１４８１８号公報に記載の撮像装置は従来の撮像装置に比べ、前記赤外カットフィルタや前記レンズが前記撮像センサに近接している。このような撮像装置において、前記赤外カットフィルタや前記レンズ等の透光性部材（光が透過する部材）に異物が付着していると、従来の撮像装置に比べて前記撮像センサに大きくはっきりとした影ができやすい。大きく、はっきりした影が撮像センサに形成されている状態で、撮像を行うと、その異物の影が黒色の点やしみとして撮像画像に映し出される場合があり、問題となる。
【０００７】
そこで、前記撮像センサと近接したレンズ、前記赤外カットフィルタに異物の侵入を抑制するため、前記筐体の後側開口の近傍にレンズを固定した撮像装置が提案されている。前記筐体には前記レンズの外周に形成された胴部が嵌合される円筒状のレンズ嵌合部と、前記レンズ嵌合部の後側に形成され、前記胴部の後側の面を保持する胴付け部が形成されている。前記レンズは前記胴部を前記レンズ嵌合部に嵌合させるとともに、前記胴部の後側の面を前記胴付け部に接触させ、前記胴部と前記レンズ嵌合部とを接着固定している。
【０００８】
前記レンズは、前記胴部と前記レンズ嵌合部との間に隙間ができないように固定されており、異物が前記レンズ後側に侵入するのを抑制している。これにより、前記レンズ及び（又は）前記赤外カットフィルタへの付着を抑制することができる。また、前記レンズを前記筐体に固定するとき、前側から取り付けるので良好な組立性も確保することができる。
【先行技術文献】
【特許文献】
【０００９】
【特許文献１】特開２０１０−１４８１８号公報
【発明の概要】
【発明が解決しようとする課題】
【００１０】
前記撮像装置において、光軸垂直方向（レンズの径方向）の小型化によって、前記後側開口の開口径は前記筐体の光軸垂直方向の大きさ対して大きくなる。これにより、前記筐体の前記後側開口の周りに前記赤外カットフィルタを固定する（貼り付ける）ための領域が確保できず、前記赤外カットフィルタの固定が困難になる。そこで、特開２０１０−１４８１８号公報では、前記後側開口を矩形状に形成し、前記赤外カットフィルタを前記後側開口に対応する矩形状にすることで、前記赤外線カットフィルムを貼り付けのための領域を確保している。
【００１１】
前記後側開口を矩形状にすることで、前記赤外カットフィルタを貼り付けるための領域を確保することは可能であるが、前記後側開口の角部が前記胴付け部の内周に接近してしまう。前記低背化された撮像装置の場合、前記胴付け部から前記後側開口までの光軸方向の距離が短く、前記胴付け部の内周で反射された光が前記後側開口の角部を通って前記撮像センサに入射され、撮像画像に余計な像（いわゆる、ゴースト）が写り込んでしまう不具合が発生しやすい。
【００１２】
そこで本発明は、光学的性能を犠牲にすることなく、低背化するとともに、撮像画像中に不要光による余計な像の発生を抑制する撮像装置を提供することを目的とする。
【課題を解決するための手段】
【００１３】
上記目的を達成するために本発明は、複数枚のレンズを有する撮像装置であって、前記複数枚のレンズのうち撮像センサに最も近いレンズを保持するフレームを有し、前記フレームは、平板状のベースと、前記ベースの中央部分に形成された矩形状の開口と、前記ベースの被写体側に突出するレンズ保持部を備えており、前記レンズ保持部は前記レンズの外周が嵌合される略円筒形状のレンズ嵌合部と、前記レンズ嵌合部の内周に一体成形されており、前記レンズの前記撮像センサ側の面の我執部を保持する胴付け部とを有し、前記レンズ保持部は前記開口を囲むように配置されているとともに、前記胴付け部の前記開口の角部近傍には、前記胴付け部の内寸を広げるように４個の切り欠きを備えていることを特徴とする。
【００１４】
この構成によると、前記レンズ保持部の前記開口の角部と近接している部分に切り欠きを設けることで、撮像光以外の不要光が反射する面と開口との距離を長くすることができる。これにより、前記不要光の前記切り欠きの内面での反射光が、前記ベースの前記開口の端縁部で遮られて、撮像センサに入射するのを抑制することができる。
【００１５】
これにより、撮像画像に発生するゴーストを抑えつつ、小型（光軸方向の長さが短い）の割に大口径のレンズを採用することができる撮像装置を提供することが可能である。
【００１６】
上記構成において、前記ベースの前記レンズ保持部と反対側は赤外カットフィルタが前記開口を覆うように取り付けられている。この構成によると、撮像装置をより低背化することが可能である。また、撮像センサを密閉することが可能であり、前記撮像センサへの塵、埃等の異物の付着を抑制することが可能である。
【００１７】
上記構成において、前記レンズ保持部は、前記レンズの外周に形成されている円柱状の胴部の外周が嵌合される円筒形状のレンズ嵌合部と、前記レンズ嵌合部の内周に一体成形されており、前記胴部の前記撮像センサ側の面を保持する胴付け部とを備えており、前記切り欠きの前記内壁は、前記胴付け部に形成されている。
【００１８】
この構成によると、前記レンズ嵌合部の内周の形状を円筒形状とすることができ、筐体を作製するときの金型の中子の形状を円柱状とすることができる。これにより、レンズ嵌合部の寸法精度を容易に高めることができ、前記レンズ嵌合部の内周で前記レンズの胴部の外周をしっかり嵌合することができる。さらに、前記レンズ嵌合部の内周と前記レンズの胴部の外周とがしっかり嵌合するので、隙間ができにくく、異物の赤外カットフィルタへの進入を抑えることができる。
【００１９】
上記構成において、前記４個の切り欠きのうち少なくとも１つは、前記胴付け部及び前記レンズ嵌合部に形成されている。
【００２０】
この構成によると、前記切り欠きの内面と前記開口の角部との距離を長くすることができるので、前記不要光の前記内面で反射した反射光が前記開口から前記撮像センサへの入射するのを抑えることができる。
【００２１】
上記構成において、前記切り欠きは、前記切り欠きの光軸方向の高さをＬ、前記切り欠きの内面から前記開口までの距離のうち最も短いものをＭとしたとき、０．１＜Ｌ／Ｍ＜２を満たす形状を有している。
【発明の効果】
【００２２】
本発明によると、光学的性能を犠牲にすることなく、低背化するとともに、撮像画像中に不要光による余計な像の発生を抑制する撮像装置を提供することができる。
【図面の簡単な説明】
【００２３】
【図１】本発明にかかる撮像装置の斜視図である。
【図２】図１に示す撮像装置をＩＩ−ＩＩ線で切断した断面図である。
【図３】本発明にかかる撮像装置に用いられるレンズユニットを分解した斜視図である。
【図４】図（Ａ）はリヤフレームの前側（被写体側）から見た斜視図であり、図（Ｂ）はリヤフレームの後側（撮像センサ側）から見た斜視図である。
【図５】図（Ａ）はレンズホルダの前側（被写体側）から見た斜視図であり、図（Ｂ）はレンズホルダの後側（撮像センサ側）から見た斜視図である。
【図６】図（Ａ）はフロントフレームの前側（被写体側）から見た斜視図であり、図（Ｂ）はフロントフレームの後側（撮像センサ側）から見た斜視図である。
【図７】図（Ａ）はリヤフレームを前側から見た図であり、図（Ｂ）は図（Ａ）の円で囲んだ部分を拡大した図である。
【図８】本発明にかかる撮像装置の拡大断面図である。
【図９】本発明にかかる撮像装置に用いられるリヤフレームの他の例の前側から見た図である。
【図１０】本発明にかかる撮像装置に用いられるリヤフレームのさらに他の例の前側から見た図である。
【発明を実施するための形態】
【００２４】
以下に本発明の実施形態を図面を参照して説明する。図１は本発明にかかるレンズユニットを備えた撮像装置の斜視図であり、図２は図１に示す撮像装置をＩＩ−ＩＩ線で切断した断面図であり、図３は本発明にかかるレンズユニットを分解した斜視図である。図１に示すように、撮像装置Ａは、配線基板Ｐｂと、配線基板Ｐｂに固定されたレンズユニット１とを備えている。また、図２に示すように、配線基板Ｐｂには撮像センサＩｍｓが実装されており、撮像センサＩｍｓを囲むようにレンズユニット１が配置されている。
【００２５】
この撮像装置Ａは、携帯電話端末に搭載されるものであり、撮像センサＩｍｓは照射された撮像光を電気信号に変換する個体撮像素子を備えている。なお、個体撮像素子として、ＣＭＯＳタイプ又はＣＣＤタイプのイメージセンサを備えた構成となっている。また、以下のレンズユニット１の説明において、特に記載しない場合、被写体側を前、撮像装置側を後と表現する場合がある。
【００２６】
図２及び図３に示すようにレンズユニット１は、３群５枚の固定焦点のレンズユニットである。レンズユニット１は第１レンズ群２、第２レンズ群３、第３レンズ群４を備えている。レンズユニット１において、第１レンズ群２及び第３レンズ群４は固定レンズ群であり、第２レンズ群３は可動レンズ群である。レンズユニット１は、第２レンズ群３を光軸方向に移動させることで、焦点あわせを行っている。
【００２７】
図２、図３に示すように、レンズユニット１は、被写体側から、第１レンズ群２、第２レンズ群３、第３レンズ群４の順番で配置されている。これら各レンズ群は筐体に収納されている。筐体は撮像センサＩｍｓに近いリヤフレーム５１と、リヤフレーム５１の前側に取付固定されるフロントフレーム５２と、フロントフレーム５２の外側を覆い、電磁シールドとして用いられるカバー５３とを備えている。また、レンズユニット１には、第２レンズ群３を変位駆動するための振動リニアアクチュエータ６、撮像センサＩｍｓに入射する撮像光の赤外線成分をカットする赤外カットフィルタ９も備えている。
【００２８】
図２、図３に示すように、リヤフレーム５１は撮像センサＩｍｓが実装された基板Ｐｂに、撮像センサＩｍｓを囲むように固定されている。リヤフレーム５１には、撮像センサＩｍｓと対向する面に赤外カットフィルタ９が貼り付けられている。また、リヤフレーム５１は被写体側で第３レンズ群４のレンズ４１を保持している。さらに、リヤフレーム５１の被写体側には、振動リニアアクチュエータ６が固定されている。
【００２９】
振動リニアアクチュエータ６には、可動保持部であるレンズホルダ７が摩擦係合されている。レンズホルダ７は第２レンズ群３のレンズ３１、３２及びレンズ３１とレンズ３２の間に配置され漏れ光を遮断する遮光板３３とを保持している。なお、レンズ３１はレンズ３２よりも被写体側に配置されている。レンズホルダ７は振動リニアアクチュエータ６によって変位駆動され、保持している第２レンズ群３を第１レンズ群２又は第３レンズ群４に接近離間させる。
【００３０】
また、リヤフレーム５１の前側には、フロントフレーム５２が配置されている。フロントフレーム５２は、開いた箱形状であり、前面板で振動リニアアクチュエータ６の前側の端部を保持している。また、フロントフレーム５２の前面板には、固定保持部であるレンズホルダ８が固定されている。レンズホルダ８には、第１レンズ群２のレンズ２１、２２、レンズ２１とレンズ２２の間に配置され漏れ光を遮断する遮光板２３及びレンズ２１に入射する光の量を制限する前面遮光板２４とが保持されている。なお、レンズ２１はレンズ２２よりも被写体側に配置されている。さらに、フロントフレーム５２の被写体側には、フロントフレーム５２を覆うようカバー５３が取り付けられている。
【００３１】
レンズユニットの各部材の詳細について図面を参照して説明する。まず、リヤフレーム５１について説明する。図４（Ａ）は本発明にかかるレンズユニットの構成部材の一つであるリヤフレーム単体の前側（被写体側）から見た斜視図であり、図４（Ｂ）はリヤフレーム単体の後側（撮像センサ側）から見た斜視図である。
【００３２】
図２、図４（Ａ）、（Ｂ）に示すように、リヤフレーム５１は、矩形状のベース５１０と、ベース５１０の中央部分に形成された円形の遮光部５１００と、遮光部５１００に形成され撮像光が通過する長方形状の開口５１１とを備えている。開口５１１は撮像画像の画枠に相当する。なお、撮像光は開口５１１を通過し、それ以外の不要光は遮光部５１００で吸収され、撮像センサＩｍｓに入射しないようになっている。遮光部５１００による不要光の遮蔽については、後述する。
【００３３】
また、リヤフレーム５１は、ベース５１０の前側より遮光部５１００を囲むように突出し、レンズ４１を保持する円筒状のレンズ保持部５１２を備えている。レンズ保持部５１２は、レンズ４１の外周に形成された胴部４１１が嵌合されるレンズ嵌合部５１２０と、レンズ嵌合部５１２０の内周に一体的に形成されており、胴部４１１の撮像センサＩｍｓ側の面と接触する胴付け部５１３が連設されている。レンズ嵌合部５１２０は中心軸が開口５１１の中心と重なるように形成されている。
【００３４】
なお、レンズ嵌合部５１２０及び胴付け部５１３はいずれも円筒形状を有しており、レンズ嵌合部５１２０の内径が胴付け部５１３の内径よりも大きく、レンズ嵌合部５１２０と胴付け部５１３は段差を形成している。図２に示すように、レンズ４１は胴部４１１の外周がレンズ嵌合部５１２０の内周と嵌合するとともに、胴部４１１の撮像センサＩｍｓ側の面が胴付け部５１３と接触してリヤフレーム５１に保持されている。そして、胴部４１１とレンズ嵌合部の内周とは接着剤で固定されている。なお、レンズ嵌合部５１２０に嵌合されるレンズ４１の胴部４１１にゲート等が形成されている場合、胴部の外周が円筒形状でない場合がある。このとき、レンズ嵌合部５１２０はレンズ４１の胴部４１１の外周と嵌合できる形状を有している。
【００３５】
図４（Ａ）に示すように、胴付け部５１３には開口５１１の４個の角部と近接している部分に、切り欠き５１８が形成されている。切り欠き５１８は開口５１１の短辺及び長辺のいずれかと平行な面をつきあわせたＶ字形状に形成されている。なお、切り欠き５１８の詳細については、後述する。
【００３６】
リヤフレーム５１には振動リニアアクチュエータ６が取り付け固定されている。振動リニアアクチュエータ６は、電圧を印加することで伸縮する圧電素子６１と、圧電素子６１の伸縮方向の一端に取り付けられ、第２レンズ群３を保持しているレンズホルダ７が摩擦係合する駆動軸６２と、圧電素子６１の駆動軸６２と反対側の端部に固定された錘６３とを備えている。また、圧電素子６１にはリード線６４がはんだ付けにて取り付けられており、リード線６４の圧電素子６１と反対側の端部には電圧を印加するための金属製の端子６５がはんだ付けにて取り付けられている（図３参照）。
【００３７】
図４（Ａ）、（Ｂ）に示すように、リヤフレーム５１のベース５１０の角部には、振動リニアアクチュエータ６の錘６３が接着固定されるアクチュエータ取付孔５１４が形成されている。アクチュエータ取付孔５１４は接着剤を充填するための貫通孔であり、錘６３がアクチュエータ取付孔５１４を前側から覆うように配置された後、後側から接着剤を充填し硬化することで錘６３を固定する。
【００３８】
また、ベース５１０には前側に突出した２個の係合凸部５１５が備えられている。係合凸部５１５は、一時的に撓み、フロントフレーム５２の側壁に形成されている係合孔５２５と係合する、いわゆる、スナップフィット機構となっている。係合凸部５１５と係合孔５２５とが係合することで、リヤフレーム５１とフロントフレーム５２とが組み合わされる。
【００３９】
さらに、図４（Ｂ）に示すようにベース５１０の撮像センサＩｍｓ側の面には、開口５１１を囲むように凹部５１６が形成されている。この凹部５１６の内部に赤外カットフィルタ９が接着にて固定される。また、ベース５１０には、四辺それぞれの端部より撮像センサＩｍｓ側に突出した壁部５１７が備えられている。この壁部５１７は連続して形成された部材であり、壁部５１７の端部は配線基板Ｐｂに接着固定される。
【００４０】
図２に示したとおり、開口５１１が赤外カットフィルタ９で塞がれているとともに、壁部５１７が配線基板Ｐｂに接着固定されるので、リヤフレーム５１と配線基板Ｐｂとで囲まれた空間は密閉空間となっており、埃、塵等の異物が進入しにくくなっている。これにより、撮像センサＩｍｓに異物が付着するのを抑制することができる。
【００４１】
次に、レンズホルダ７について説明する。レンズホルダ７は可動レンズ群である第２レンズ群３を保持する可動保持部であり、押圧部材７０が取り付けられている。レンズ３１の外径はレンズ３２の外径よりも大きく形成されており、レンズ３２が後側、レンズ３１が前側に配置されている。
【００４２】
図５（Ａ）はレンズホルダの前側（被写体側）から見た斜視図であり、図５（Ｂ）はレンズホルダの後側（撮像センサ側）から見た斜視図である。図５（Ａ）、（Ｂ）に示すように、レンズホルダ７の中央部には撮像光が透過する貫通孔７１が形成されている。レンズホルダ７は、貫通孔７１を囲むように形成され、レンズ３１、３２が嵌合される円筒状のレンズ嵌合部７２と、レンズ嵌合部７２の後側に連結されレンズ３２の外周に形成された胴部３２１の後側の面が当接する胴付け部７３とを備えている。
【００４３】
レンズ嵌合部７２は前側からレンズ３２、レンズ３１を配置する構成となっている。レンズ嵌合部７２の内周は、後側にレンズ３２の外周に形成されている胴部３２１の外周が嵌合し、前側にレンズ３１の外周に形成されている胴部３１１が嵌合できるように段つき形状となっている。レンズ嵌合部７２の後側に配置されたレンズ３２はレンズ嵌合部７２には接着されず、間に遮光板３３を挟んで配置されたレンズ３１がレンズ嵌合部７２の内壁に接着剤で接着されている（図２参照）。
【００４４】
さらにレンズホルダ７の外周には、振動リニアアクチュエータ６の駆動軸６２に摩擦係合される軸係合部７４が形成されている。軸係合部７４は２つの係合面７４１、７４２を備えており、係合面７４１と係合面７４２とは前側から見てＶ字状となるように付き合わされている。軸係合部７４は、２個の係合面７４１、７４２が駆動軸６２と異なる場所で接触する。そして、レンズホルダ７に取り付けられた押圧部材７０が駆動軸６２を軸係合部７４の反対側から押圧することで、軸係合部７４が駆動軸６２に押し当てられ、摩擦係合される。
【００４５】
レンズホルダ７は振動リニアアクチュエータ６の圧電素子６１の伸縮の速度又は加速度を調整し、駆動軸６２の振動速度又は加速度を調整することで、駆動軸６２に沿う方向に変位駆動される。振動リニアアクチュエータ６の動作機構及び原理については、既知の内容であり省略する。
【００４６】
図５（Ａ）、（Ｂ）に示すように、レンズホルダ７には、レンズホルダ７が移動するときに、フロントフレーム５２に形成された駆動ガイド５２４にガイドされる凸部７５が形成されている。凸部７５はレンズホルダ７の外周からレンズ径方向外側に向かって突出した部分であり、レンズホルダ７のレンズ嵌合部７２を挟んで、軸係合部７４と反対側に備えられている。
【００４７】
再び、図３を参照して、レンズホルダ７に取り付けられている押圧部材７０について説明する。押圧部材７０は前側から見てＬ字状の形状を有する板ばね部材である。押圧部材７０の屈曲点には、レンズホルダ７に形成されているばね受け凸部７４３に係合される係合部７００が形成されている。また、押圧部材７０のＬ字を形成する一辺７０１の先端には駆動軸６２を押圧する押圧部７０２が形成されており、もう一辺はレンズホルダ７の外周に当接する受け部７０３を構成している。押圧部材７０は係合部７００をばね受け凸部７４３に係合することで、受け部７０３がレンズホルダ７の外周に押し当てられる。また、一辺７０１及び押圧部７０２はレンズホルダ７の中央に向かって弾性力を作用させている。
【００４８】
次にフロントフレーム５２について図面を参照して説明する。図６（Ａ）はフロントフレームの前側（被写体側）から見た斜視図であり、図６（Ｂ）はフロントフレームの後側（撮像センサ側）から見た斜視図である。図６（Ａ）、（Ｂ）に示すように、フロントフレーム５２は、前面に矩形状の前面板５２０と、前面板５２０の四辺から後側に立設された側壁５２２とを有している。前面板５２０には、撮像光が入射する円形の貫通孔である開口５２１と、一つの角部の近傍に振動リニアアクチュエータ６の駆動軸６２の先端が取り付けられる小径の貫通孔である軸取付部５２３とが形成されている。
【００４９】
図６（Ｂ）に示すように、側壁５２２の内周側の軸取付部５２３が近接する隅部の対角線上の隅部には、光軸方向に伸びレンズホルダ７の凸部をガイドする一対の壁体を備えた駆動ガイド５２４が備えられている。
【００５０】
図３、図６（Ａ）に示すように、側壁部５２２には貫通孔でありリヤフレーム５１に形成されている係合凸部５１５と係合する係合孔５２５と、外周より突出しカバー５３の係合孔５３２と係合する係合凸部５２６とを備えている。係合凸部５１５と係合孔５２５とはスナップフィット機構を構成しており、このスナップフィット機構によって、リヤフレーム５１とフロントフレーム５２とが組み合わせられる。
【００５１】
さらに、前面板５２０の開口５２１の辺縁部は段差を有するユニット取付部５２７が形成されており、ユニット取付部５２７は第１レンズ群２を保持したレンズホルダ８（固定保持部）を前側、すなわち、フロントフレーム５２の外側から取り付けることができる構成になっている。
【００５２】
再度、図２、図３を参照して、第１レンズ群２を保持する固定保持部であるレンズホルダ８及びカバー５３について説明する。図２、図３に示すように、レンズホルダ８はレンズ２１と、レンズ２２と、レンズ２１とレンズ２２との間に配置され漏れ光をカットする遮光板２３と、レンズ２１の前面側に配置され、撮像光の入射を制限する前面遮光板２４とを保持している。
【００５３】
図２に示すように、レンズホルダ８はレンズ２２の外周の胴部２２１が嵌合されるレンズ嵌合部８１と、レンズ２２の前側に遮光板２３を挟んで配置されたレンズ２１の胴部２１１を接着する接着剤を充填するための接着剤溜まり８２と、レンズ２１の光軸位置を調整する３本爪の冶具（不図示）を胴部２１１の外周に嵌合させるための冶具挿入部８３とを備えている。
【００５４】
レンズ２１、レンズ２２、遮光板２３及び前面遮光板２４を保持したレンズユニット８は、フロントフレーム５２の前側からユニット取付部５２７に取り付けられる。このとき、レンズユニット８とフロントフレーム５２とが接着固定されている。
【００５５】
さらにフロントフレーム５２にはカバー５３が取り付けられる。カバー５３はフロントフレーム５２を前側から覆う形状を有しており、フロントフレーム５２の開口５２１と対応する位置に被写体からの撮像光が入射する開口５３０を備えている。また、カバー５３はフロントフレーム５２の側壁５２２と接触配置される側壁５３１が備えられており、側壁５３１にフロントフレーム５２の係合凸部５２６と係合する係合孔５３２を備えている。係合凸部５２６と係合孔５３２とはスナップフィット機構をなしており、スナップフィット機構によってカバー５３をフロントフレーム５２に組み付けることが可能である。なお、カバー５３は金属板の成形体であり、電磁シールド及び（又は）外観部品として用いられる。
【００５６】
レンズユニット１の組立手順について説明する。まず、リヤフレーム５１の凹部５１６に赤外カットフィルタ９挿入接着する。また、前後して、レンズ４１の胴部４１１をレンズ嵌合部５１２０に嵌合させ、胴部４１１の後側の面を胴付け部５１３に接触させた状態で胴部４１１とレンズ嵌合部５１２０とを接着固定する。
【００５７】
次に、リヤフレーム５１に振動リニアアクチュエータ６を取り付ける。この時点では、振動リニアアクチュエータ６の錘６３はリヤフレーム５１に接着しない。そして、レンズホルダ７の軸係合部７４と押圧部材７０の押圧部７０２とで駆動軸６３挟むことで、第２レンズ群３を保持するレンズホルダ７は駆動軸６２に摩擦係合される。
【００５８】
そして、フロントフレーム５２をリヤフレーム５１に組み付ける。このとき、フロントフレーム５２はフロントフレーム５２に形成されているボスをリヤフレーム５１に形成されているボス孔に嵌合するように組み付ける。これにより、フロントフレーム５２やフレーム５１の光軸に垂直な方向の相対位置の位置決めがなされる。さらに位置決めがなされるとき、駆動軸６２の先端がフロントフレーム５２の軸取付孔５２３に嵌合される。フロントフレーム５２をリヤフレーム５１に押し付けることで、係合凸部５１５と係合孔５２５と係合する。係合凸部５１５と係合孔５２５とがスナップフィット機構を構成しており、リヤフレーム５１とフロントフレーム５２とは接着することなしに固定される。
【００５９】
この状態で錘６３の位置を移動すると、振動リニアアクチュエータ６は駆動軸６２とフロントフレーム５２の軸取付部５２３との嵌合部分を中心に移動する。この移動によって、駆動軸６２に摩擦係合されているレンズホルダ７、すなわち、第２レンズ群３の光軸に対する傾きを調整することができる。第２レンズ群３の傾きを調整した後、リヤフレーム５１の後側からアクチュエータ取付孔５１４に接着剤を充填、硬化することで、振動リニアアクチュエータ６をリヤフレーム５１に固定する。
【００６０】
さらに、フロントフレーム５２のユニット取付部５２７にレンズ２２及び遮光板２３を取り付けたレンズホルダ８を取り付け、ユニット取付部５２７とレンズホルダ８とを接着固定する。そして、遮光板２３の前側にレンズ２１を配置し、専用冶具を用いてレンズ２１を保持するとともに、レンズ２１を光軸と直交する平面内で位置調整を行い、レンズホルダ８とレンズ２１とを接着固定する。さらに、レンズ２１の前面に前面遮光板２４を貼付する。そして、フロントフレーム５２を覆うようにカバー５３を取り付け、係合凸部５２６と係合孔５３２とを係合させる。カバー５３はフロントフレーム５２に接着なしに固定される。
【００６１】
このようにして組み立てられたレンズユニット１の光軸と配線基板Ｐｂに実装された撮像センサＩｍｓの中心とが重なるように、レンズユニット１を配線基板Ｐｂに取り付け、リヤフレーム５１の側壁５１７を配線基板Ｐｂに接着固定する。
【００６２】
本発明の要部であるリヤフレームのレンズ嵌合部及び胴付け部の構造について、図面を参照して詳しく説明する。図７（Ａ）はリヤフレームを前側から見た図であり、図７（Ｂ）は図（Ａ）の円で囲んだ部分を拡大した図である。
【００６３】
図７（Ｂ）のリヤフレーム５１には、切り欠き５１８が形成されていない場合の胴付け部の内周を二点鎖線で記載している。図７（Ｂ）に示すように、切り欠きのない胴付け部の内周と開口５１１との最短距離は、開口５１１の角部と胴付け部の内周との間の距離Ｍ０である。一方、切り欠き５１８が形成されている胴付け部５１３と開口５１１との最短距離は、第１面５１８１から開口５１１の長辺まで及び第２面５１８２から開口５１１の短辺までの距離Ｍである。なお、本実施形態において、切り欠き５１８は、第１面５１８１から開口５１１の長辺まで及び第２面５１８２から開口５１１の短辺までの距離Ｍは同じとなるように形成されているが、異なるように形成されていてもよく、その場合、短い方の距離をＭとする。
【００６４】
撮像装置Ａでは、撮像光以外の光（不要光）もレンズユニット１に入射する場合がある。その不要光はレンズを保持している胴付け部で反射され、開口５１１を通過し、撮像センサＩｍｓに入射される場合があり、撮像画像においてその不要光の像がゴースト等の画像の乱れとなる。
【００６５】
次に不要光の胴付け部での反射について図面を参照して説明する。図８は本発明にかかる撮像装置の拡大断面図である。なお、図８の断面図では説明の便宜上、レンズユニット１の光軸より一方のみを示しているが、実際には図２等に示すような形状であることはいうまでもない。
【００６６】
図８に示すように、不要光Ｉは矢印で示したとおり、胴付け部５１３の内周に入射角θで入射している。不要光Ｉの反射光は入射光と同じ角度で反射され、撮像センサＩｍｓ側に進む。図７（Ａ）に示すように、開口５１１の角部近傍以外の部分では、開口５１１から胴付け部５１３の内周までの距離が長いので、胴付け部５１３の内周で反射された不要光は遮光部５１００によって吸収され、撮像センサＩｍｓへの入射が抑えられている。
【００６７】
切り欠きが形成されていない胴付け部の場合、開口５１１の角部近傍に入射した不要光は、切り欠きが形成されていない場合の胴付け部の内周（図７（Ｂ）において二点差線で示す部分）で反射される。このとき、胴付け部５１３内周と開口５１１の角部までの距離Ｍ０が小さいので、不要光Ｉの反射光の一部を遮光部５１００で吸収しきれず、開口５１１を通過してしまう。
【００６８】
一方で、図７（Ｂ）に示すような切り欠き５１８を備えた胴付け部５１３の場合、開口の角部近傍に入射した不要光Ｉは切り欠き５１８の第１面５１８１及び（又は）第２面５１８２で反射される。このとき、第１面５１８１及び（又は）第２面５１８２から開口までの最短距離Ｍは切り欠きのない場合に比べて長く形成されており、不要光Ｉの反射光の光路上には遮光部５１００が形成されており、不要光Ｉは遮光部５１００で吸収される。
【００６９】
ここで撮像装置における切り欠きの形状について図面を参照して詳しく説明する。図８に示すように、不要光Ｉは胴付け部５１３に入射角θで入射されている。本発明のような小型携帯端末に搭載される小型の撮像装置の場合、不要光Ｉの入射角θは概ね６０°以上であることが知られている。入射角θが６０°の不要光の胴付け部５１３で反射した反射光が開口５１１を通過するのを抑えることで、入射角θが６０°以上の不要光Ｉの反射光の撮像センサＩｍｓへの入射を抑えることができる。
【００７０】
入射角θが６０°の不要光Ｉの反射光の撮像センサＩｍｓへの入射を抑える胴付け部５１３及び遮光部５１００の形状について説明する。図７（Ｂ）、図８に示すリヤフレーム５１では、胴付け部５１３の光軸方向の長さをＬとしたとき、長さＬと長さＭとが０．１＜Ｌ／Ｍ＜２の条件を満たすように切り欠き５１８を形成している。この切り欠き５１８の内面（第１面５１８１及び（又は）第２面５１８２）から開口５１１までの長さＭと切り欠き５１８の内面の光軸方向長さＬとの関係を満たすように、レンズ保持部５１２が切り欠き５１８を備えることで、入射角θが６０°の不要光Ｉの第１面５１８１及び（又は）第２面５１８２で反射した反射光は遮光部５１００で遮られ、開口５１１から撮像センサＩｍｓに入射しない。
【００７１】
すなわち、胴付け部５１３の光軸方向長さと、切り欠き５１８を第１面５１８１及び（又は）第２面５１８２から開口５１１までの遮光部５１００の長さとを０．１＜Ｌ／Ｍ＜２の条件を満たすように、形成することで不要光Ｉが開口５１１を通過するのを抑制し、不要光Ｉによるゴースト（被写体像とは異なる像）が撮像画像に含まれてしまうのを抑制することが可能である。
【００７２】
なお、図７（Ａ）に示すリヤフレーム５１では、切り欠き５１８がレンズ嵌合部５１２０との境界位置まで切り欠かれているが、必ずしもレンズ嵌合部５１２０まで切り欠かれていなくてもよく、胴付け部５１３のみに形成されているものであってもよい。
【００７３】
以上に示した実施形態のように、胴付け部５１３だけに切り欠き５１８が形成されると、レンズ嵌合部５１２０は円筒形になる。リヤフレーム５１が樹脂の成型品であるので、円筒形のレンズ嵌合部５１２０を形成する場合、成型時の金型（中子）を円柱形状とすることが可能である。このように、金型を円柱形状のような簡単な形状とすることで、レンズ嵌合部５１２０の寸法精度を高くでき、レンズ嵌合部５１２０とレンズ４１の隙間を小さくし、その隙間からの異物の侵入を抑制することが可能である。
【００７４】
このことによって、異物がレンズ４１や赤外カットフィルタ９に付着し、その影が撮像画像に像として形成されるのを抑制することが可能である。なお、この実施形態に置いても、切り欠き５１８の形状が上述の０．１＜Ｌ／Ｍ＜２の条件を満たしていることは言うまでもない。
【００７５】
本発明にかかる撮像装置に用いられるリヤフレームの他の例について図面を参照して説明する。図９は本発明にかかる撮像装置に用いられるリヤフレームの他の例の前側から見た図である。図９に示すリヤフレーム５１は切り欠きの形状が異なる以外は図７（Ａ）に示すリヤフレーム５１と同じ構成であり、実質上同じ部分には同じ符号を付すとともに同じ部分の詳細な説明は省略する。
【００７６】
図９に示すリヤフレーム５１では、切り欠き５１８がレンズ嵌合部５１２０を分断するように形成されている。レンズ嵌合部５１２０に到達する大きな切り欠き５１８を備えることで、切り欠き５１８の第１面５１８１及び第２面５１８２から開口５１１までの遮光部５１００の長さＭを長くすることができ、小さい切り欠きを備えたものよりもさらに確実に撮像画像へのゴーストの形成を抑えることが可能である。
【００７７】
また、この切り欠き５１８のレンズ嵌合部５１２０に形成されている部分をレンズ４１を固定するときの接着剤溜まりとして用いることも可能であり、レンズ４１のリヤフレーム５１への固定にも有用である。なお、この実施形態においても、切り欠き５１８の形状が上述の０．１＜Ｌ／Ｍ＜２の条件を満たしていることは言うまでもない。また、本実施形態では、上述の条件式で用いられるＬは切り欠き５１８の第１面５１８１又は第２面５１８２の光軸方向の長さである。
【００７８】
図１０は本発明にかかる撮像装置に用いられるリヤフレームのさらに他の例の前側から見た図である。図７（Ａ）、図９等に示したリヤフレーム５１では、切り欠き５１８として、開口５１１の長辺及び短辺と沿う面を備えたＶ字状のものである。しかしながら、それに限定されるものではなく、例えば、図１０に示すような、内面が円筒形状の切り欠き５１９を備えているものを挙げることができる。
【００７９】
図１０において、切り欠き５１９は胴付け部５１３に形成されているが、レンズ嵌合部５１２０の一部を分断するような形状であってもかまわない。なお、切り欠き５１９のように内面が円筒状であっても、０．１＜Ｌ／Ｍ＜２を満たしていることは言うまでもない。
【００８０】
さらに、上述の実施形態では、各面が開口の長辺及び短辺に沿って形成されたＶ字状及び円筒形状の切り欠きを備えたレンズ保持部を示しているが、それに限定されるものではなく、多角形状の一部を構成する切り欠きであってもよく、０．１＜Ｌ／Ｍ＜２を満たす形状のものを広く採用することが可能である。
【００８１】
以上に示した構成のレンズユニットを備えた撮像装置では、不要光が胴付け部出反射するのを効果的に抑制することができるので、レンズ外径に対して撮像装置の光軸方向の高さを小型化することが可能であるとともに、撮像画像に不要光によるゴーストの発生を抑制できる。これにより、本発明によると、光学的な性能を低下させることなく、撮像装置の低背化が可能である。また、特殊なフィルタ等の光学素子を用いることなく、ゴーストの発生を抑えることができるので、それだけ、小型、軽量に製造することができ、製造コストも抑えることが可能である。
【００８２】
以上、本発明の実施形態につき説明したが、本発明の範囲はこれに限定されるものではなく、発明の主旨を逸脱しない範囲で種々の変更を加えて実施することができる。
【産業上の利用可能性】
【００８３】
本発明は、携帯電話、携帯情報端末等の小型携帯端末に搭載されている撮像装置として利用することができる。
【符号の説明】
【００８４】
１  レンズユニット
２  第１レンズ群
２１  レンズ
２１１  胴部
２２  レンズ
２２１  胴部
２３  遮光板
２４  前面遮光板
３  第２レンズ群
３１  レンズ
３１１  胴部
３２  レンズ
３２１  胴部
３３  遮光板
４  第３レンズ群
４１  レンズ
４１１  胴部
５１  リヤフレーム
５１０  ベース
５１１  開口
５１２  レンズ嵌合部
５１３  胴付け部
５１４  アクチュエータ取付孔
５１５  係合凸部
５１６  凹部
５１７  側壁
５１８  切り欠き
５１９  切り欠き
５２  フロントホルダ
５２０  前面板
５２１  開口
５２２  側壁
５２３  軸取付部
５２４  駆動ガイド
５２５  係合孔
５２６  係合凸部
５２７  ユニット取付部
６  振動リニアアクチュエータユニット
６１  圧電素子
６２  駆動軸
６３  錘
６４  リード線
６５  端子
７  レンズホルダ
７０  押圧部材
７０２  押圧部
７０３  受け部
７１  貫通孔
７２  レンズ嵌合部
７３  胴付け部
７４  軸係合部
７４１、７４２  係合面
７５  凸部
８  レンズユニット
８１  レンズ嵌合部
８２  接着剤溜まり
８３  冶具挿入部
９  赤外カットフィルタ
Ａ  撮像装置
Ｐｂ  配線基板
Ｉｍｓ  撮像センサ
【図１】
2011209493.tif 000003
【図２】
2011209493.tif 000004
【図３】
2011209493.tif 000005
【図４】
2011209493.tif 000006
【図５】
2011209493.tif 000007
【図６】
2011209493.tif 000008
【図７】
2011209493.tif 000009
【図８】
2011209493.tif 000010
【図９】
2011209493.tif 000011
【図１０】
2011209493.tif 000012